【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
衛星を介して通信を実行するための方法において、
前記衛星のアンテナ・サブシステムを使用して、ハブ・スポーク型のスポット・ビーム衛星通信システムで、目的に従ってビーム・グループに割り当てられる複数の固定位置スポット・ビームを実現するステップにおいて、
第１のビーム・グループが、（ａ）第１のゲートウェイ端末を照射する前記スポット・ビームのうちの１つのビーム、および（ｂ）第１のユーザ端末を照射する前記スポット・ビームのうちの１つのビームを含み、
第２のビーム・グループが、（ａ）第２のゲートウェイ端末を照射する前記スポット・ビームのうちの１つのビーム、および（ｂ）第２のユーザ端末を照射する前記スポット・ビームのうちの１つのビームを含み、
前記衛星が、前記第１のビーム・グループに関連する第１の経路、および前記第２のビーム・グループに関連する第２の経路を含むステップと、
前記第１の経路に関連する少なくとも１つの送信側スイッチを、第１の送信ビーム切替えパターンに従って、前記第１の経路の出力を前記第１のビーム・グループ内の様々なスポット・ビームに接続するよう順次切り替えて、ゲートウェイと少なくとも１つのユーザ端末との間のトラフィックを確立するステップと、
前記第２の経路に関連する少なくとも１つの送信側スイッチを、第２の送信ビーム切替えパターンに従って、前記第２の経路の出力を前記第２のビーム・グループ内の様々なスポット・ビームに接続するよう順次切り替えて、ゲートウェイと少なくとも１つのユーザ端末との間のトラフィックを確立するステップと、
前記第２のビーム・グループのスポット・ビームに送信されたトラフィックと同じ周波数で、前記第１のビーム・グループのスポット・ビームに送信されたトラフィック間のかなりの干渉を回避するよう、前記第１の送信ビーム切替えパターンおよび前記第２の送信ビーム切替えパターンを調整するステップと
を含むことを特徴とする方法。
【請求項２】
請求項１に記載の方法において、前記調整するステップが、前記第１のユーザ端末へのトラフィック送信と前記第２のユーザ端末へのトラフィック送信との間のかなりの干渉を回避するステップを含むことを特徴とする方法。
【請求項３】
請求項１に記載の方法において、前記調整するステップが、前記第１のゲートウェイ端末へのトラフィック送信と前記第２のゲートウェイ端末へのトラフィック送信との間のかなりの干渉を回避するステップを含むことを特徴とする方法。
【請求項４】
請求項１に記載の方法において、前記調整するステップが、前記第１のユーザ端末へのトラフィック送信と前記第２のゲートウェイ端末へのトラフィック送信との間のかなりの干渉を回避するステップを含むことを特徴とする方法。
【請求項５】
請求項１に記載の方法において、
前記第１の経路に関連する少なくとも１つの受信側スイッチを、第１の受信ビーム切替えパターンに従って、前記第１の経路の入力を前記第１のビーム・グループ内の様々なスポット・ビームに接続するよう順次切り替えるステップと、
前記第２の経路に関連する少なくとも１つの受信側スイッチを、第２の受信ビーム切替えパターンに従って、前記第２の経路の入力を前記第２のビーム・グループ内の様々なスポット・ビームに接続するよう順次切り替えるステップと、
前記第２のビーム・グループのスポット・ビームからのトラフィック受信と同じ周波数で、前記第１のビーム・グループのスポット・ビームからのトラフィック受信間のかなりの干渉を回避するよう、前記第１の受信ビーム切替えパターンおよび前記第２の受信ビーム切替えパターンを調整するステップと
をさらに含むことを特徴とする方法。
【請求項６】
請求項５に記載の方法において、前記第１の受信ビーム切替えパターンおよび前記第２の受信ビーム切替えパターンを調整するステップが、前記第１のユーザ端末からのトラフィック受信と前記第２のユーザ端末からのトラフィック受信との間のかなりの干渉を回避するステップを含むことを特徴とする方法。
【請求項７】
請求項５に記載の方法において、前記第１の受信ビーム切替えパターンおよび前記第２の受信ビーム切替えパターンを調整するステップが、前記第１のゲートウェイ端末からのトラフィック受信と前記第２のゲートウェイ端末からのトラフィック受信との間のかなりの干渉を回避するステップを含むことを特徴とする方法。
【請求項８】
請求項５に記載の方法において、前記第１の受信ビーム切替えパターンおよび前記第２の受信ビーム切替えパターンを調整するステップが、前記第１のユーザ端末からのトラフィック送信と前記第２のゲートウェイ端末からのトラフィック受信との間のかなりの干渉を回避するステップを含むことを特徴とする方法。
【請求項９】
請求項１に記載の方法において、前記スポット・ビームのうちの少なくとも２つのビームの半径が著しく異なることを特徴とする方法。
【請求項１０】
請求項１に記載の方法において、前記目的が、ビーム・グループ間で要求をバランスさせることであることを特徴とする方法。
【請求項１１】
請求項１に記載の方法において、前記目的が、ビーム・グループ内のビームの分離角を最小限に抑えることによって干渉を最小限に抑えることであることを特徴とする方法。
【請求項１２】
請求項１に記載の方法において、前記目的が、最繁時が互いに異なるビームを同じビーム・グループに配置することであることを特徴とする方法。
【請求項１３】
請求項１に記載の方法において、前記目的が、様々なビーム・グループ内のビーム間で排除しなければならないビーム衝突の数を最小限に抑えることであることを特徴とする方法。
【請求項１４】
請求項１に記載の方法において、前記目的が、全てのペアのビーム・グループ間での干渉の合計を最小限に抑えることによって、軟干渉を最小限に抑えることであることを特徴とする方法。
【請求項１５】
請求項１に記載の方法において、繰返しプロセスを使用して割当てを更新することにより、前記スポット・ビームがビーム・グループに割り当てられ、繰返しステップにおいて、（ａ）前記割当てに変更がもたらされ、（ｂ）前記目的が評価されて、改善がなされたかどうか判定し、（ｃ）改善がなされた場合は、前記変更が受け入れられることを特徴とする方法。
【請求項１６】
請求項１５に記載の方法において、前記繰返しステップの結果として局所最適に達することができ、前記局所最適に達すると、前記割当てに無作為の変更がもたらされ、さらなる繰返しステップを実行して少なくとも１つの目的を改善することを特徴とする方法。
【請求項１７】
請求項１に記載の方法において、前記アンテナ・サブシステムが、各々がそれ自体のフィード・アレイをもつ複数の反射器を有するビーム当たり単一フィード（ＳＦＰＢ）アーキテクチャを使用し、前記第１のビーム・グループ内の前記スポット・ビーム用のフィードが、第１のフィード・アレイに配置され、前記第２のビーム・グループ内の前記スポット・ビーム用のフィードが、前記第１のフィード・アレイとは異なる第２のフィード・アレイに配置されることを特徴とする方法。
【請求項１８】
請求項１に記載の方法において、前記第１のビーム・グループ内の前記スポット・ビームが、第１の地理的領域の各部分を照射し、前記第２のビーム・グループ内の前記スポット・ビームが、前記第１の地理的領域とは異なる第２の地理的領域の各部分を照射することを特徴とする方法。
【請求項１９】
複数のゲートウェイ端末と、
複数のユーザ端末と、
前記複数のゲートウェイ端末および前記複数のユーザ端末とハブ・スポーク型構成で通信する衛星と
を備える衛星通信システムにおいて、
前記衛星は、
複数の固定位置のスポット・ビームを形成するように構成された指向性アンテナ・サブシステムにおいて、前記スポット・ビームが、目的に従ってビーム・グループに割り当てられる指向性アンテナ・サブシステム、
前記指向性アンテナ・サブシステムに結合された複数の経路において、各経路が、ビーム・グループに関連していてもよく、各ビーム・グループが、（ａ）ゲートウェイ端末を含むゲートウェイ・スポット・ビームのカバレージ・エリアを照射するスポット・ビーム、および（ｂ）ユーザ端末を含むユーザ・スポット・ビームのカバレージ・エリアを照射するスポット・ビームを含む複数の経路、
第１の経路の出力に結合され、第１の送信ビーム切替えパターンに従って、前記第１の経路の前記出力を第１のビーム・グループ内の様々なスポット・ビームに接続するように順次切替えを実行して、第１のゲートウェイ端末と第１のユーザ端末との間のトラフィックを確立するように構成された第１の送信側スイッチ、
第２の経路の出力に結合され、第２の送信ビーム切替えパターンに従って、前記第２の経路の前記出力を第２のビーム・グループ内の様々なスポット・ビームに接続するように順次切替えを実行して、第２のゲートウェイ端末と第２のユーザ端末との間のトラフィックを確立するように構成された第２の送信側スイッチ、ならびに
前記第１の送信側スイッチおよび前記第２の送信側スイッチに結合され、前記第２のビーム・グループのスポット・ビームに送信されたトラフィックと同じ周波数で、前記第１のビーム・グループのスポット・ビームに送信されたトラフィック間のかなりの干渉を回避するよう、前記第１の送信ビーム切替えパターンおよび前記第２の送信ビーム切替えパターンを調整するように構成されたビーム切替え制御装置
を備えることを特徴とする衛星通信システム。
【請求項２０】
請求項１９に記載の衛星通信システムにおいて、前記衛星がさらに、
前記第１の経路の入力に結合され、第１の受信ビーム切替えパターンに従って、前記第１の経路の前記入力を前記第１のビーム・グループ内の様々なスポット・ビームに接続するよう順次切替えを実行するように構成された第１の受信側スイッチと、
前記第２の経路の入力に結合され、第２の受信ビーム切替えパターンに従って、前記第２の経路の前記入力を前記第２のビーム・グループ内の様々なスポット・ビームに接続するよう順次切替えを実行するように構成された第２の受信側スイッチと
を備え、
前記ビーム切替え制御装置が、前記第１の受信側スイッチおよび前記第２の受信側スイッチに結合され、前記第２のビーム・グループのスポット・ビームから受信されたトラフィックと同じ周波数で、前記第１のビーム・グループのスポット・ビームから受信されたトラフィック間のかなりの干渉を回避するよう、前記第１の受信ビーム切替えパターンおよび前記第２の受信ビーム切替えパターンを調整するようにさらに構成されることを特徴とする衛星通信システム。
【請求項２１】
複数の固定位置のスポット・ビームを形成するように構成された指向性アンテナ・サブシステムにおいて、前記スポット・ビームが、目的に従ってビーム・グループに割り当てられる指向性アンテナ・サブシステムと、
前記指向性アンテナ・サブシステムに結合された複数の経路において、各経路が、ビーム・グループに関連している複数の経路と、
第１の経路の出力に結合され、第１の送信ビーム切替えパターンに従って、前記第１の経路の前記出力を第１のビーム・グループ内の様々なスポット・ビームに接続するように順次切替えを実行して、トラフィックを確立するように構成された第１の送信側スイッチと、
第２の経路の出力に結合され、第２の送信ビーム切替えパターンに従って、前記第２の経路の前記出力を第２のビーム・グループ内の様々なスポット・ビームに接続するように順次切替えを実行して、トラフィックを確立するように構成された第２の送信側スイッチと、
前記第１の送信側スイッチおよび前記第２の送信側スイッチに結合され、前記第２のビーム・グループのスポット・ビームに送信されたトラフィックと同じ周波数で、前記第１のビーム・グループのスポット・ビームに送信されたトラフィック間のかなりの干渉を回避するよう、前記第１の送信ビーム切替えパターンおよび前記第２の送信ビーム切替えパターンを調整するように構成されたビーム切替え制御装置と
を備えることを特徴とする通信衛星。
【請求項２２】
請求項２１に記載の衛星において、
前記第１の経路の入力に結合され、第１の受信ビーム切替えパターンに従って、前記第１の経路の前記入力を前記第１のビーム・グループ内の様々なスポット・ビームに接続するよう順次切替えを実行するように構成された第１の受信側スイッチと、
前記第２の経路の入力に結合され、第２の受信ビーム切替えパターンに従って、前記第２の経路の前記入力を前記第２のビーム・グループ内の様々なスポット・ビームに接続するよう順次切替えを実行するように構成された第２の受信側スイッチと
をさらに備え、
前記ビーム切替え制御装置が、前記第１の受信側スイッチおよび前記第２の受信側スイッチに結合され、前記第２のビーム・グループのスポット・ビームから受信されたトラフィックと同じ周波数で、前記第１のビーム・グループのスポット・ビームから受信されたトラフィック間の干渉を回避するよう、前記第１の受信ビーム切替えパターンおよび前記第２の受信ビーム切替えパターンを調整するようにさらに構成されることを特徴とする衛星。
【請求項２３】
請求項２１に記載の衛星において、前記スポット・ビームのうちの少なくとも２つのビームの半径が著しく異なることを特徴とする衛星。
【請求項２４】
請求項２１に記載の衛星において、前記目的が、ビーム・グループ間で要求をバランスさせることであることを特徴とする衛星。
【請求項２５】
請求項２１に記載の衛星において、前記目的が、ビーム・グループ内のビームの分離角を最小限に抑えることによって干渉を最小限に抑えることであることを特徴とする衛星。
【請求項２６】
請求項２１に記載の衛星において、前記目的が、最繁時が互いに異なるビームを同じビーム・グループに配置することであることを特徴とする衛星。
【請求項２７】
請求項２１に記載の衛星において、前記目的が、様々なビーム・グループ内のビーム間で排除しなければならないビーム衝突の数を最小限に抑えることであることを特徴とする衛星。
【請求項２８】
請求項２１に記載の衛星において、前記目的が、全てのペアのビーム・グループ間での干渉の合計を最小限に抑えることによって、軟干渉を最小限に抑えることであることを特徴とする衛星。